(57)【特許請求の範囲】
【請求項１】
記録媒体から再生された再生信号に対して、パーシャルレスポンス特性の波形等化を行う波形等化回路と、
前記波形等化回路から出力された波形等化後再生信号から最短記録情報再生振幅の最大値及び最小値を検出する最短記録情報振幅検出手段と、
前記波形等化回路から出力された波形等化後再生信号のエンベロープの最大値及び最小値を検出するエンベロープ検出手段と、
前記波形等化回路から出力された波形等化後再生信号をスライスレベルでスライスして２値化する２値化手段と、
前記２値化手段に前記スライスレベルを供給しており、前記２値化手段から出力された２値化信号の”１”と”０”の平均的な出現率が等しくなるように、前記２値化信号を予め設定した所定のリファレンスレベルと比較して得た比較結果に基づいて、前記スライスレベルを補正するオートスライサと、
前記オートスライサから補正されて出力された前記スライスレベルを、前記最短記録情報振幅検出手段から出力された前記最短記録情報再生振幅の最大値及び最小値にアシンメトリ情報として付加して、アシンメトリ補正された最短記録情報再生振幅の最大値及び最小値を出力するアシンメトリ付加手段と、
前記アシンメトリ付加手段により前記アシンメトリ補正された最短記録情報再生振幅の最大値及び最小値と、前記波形等化後再生信号エンベロープの最大値及び最小値と、前記オートスライサで補正された前記スライスレベルの値をそれぞれビタビ復号の識別点の値として用いて、前記波形等化回路から出力された再生信号に対してビタビ復号を行い、復号信号を出力するビタビ復号手段と
を有することを特徴とする情報再生装置。
【請求項２】
前記エンベロープ検出手段からの波形等化後再生信号のエンベロープの最大値及び最小値からエンベロープの振幅そのものを検出する振幅検出手段と、
前記振幅検出手段で検出された振幅値と振幅設定値を比較し、その比較結果に基づき前記波形等化回路の出力波形等化後再生信号の振幅を一定に保つゲイン調整手段とを更に有することを特徴とする請求項１記載の情報再生装置。
【請求項３】
ビタビ復号の識別値として用いられる前記アシンメトリ付加手段により前記アシンメトリ補正された最短記録情報再生振幅の最大値及び最小値と、前記波形等化後再生信号エンベロープの最大値及び最小値と、前記オートスライサで補正された前記スライスレベルの値とに基づいて、前記識別点の値と前記波形等化回路の波形等化の目標値との等化誤差を演算する等化目標値制御／等化誤差演算回路と、
前記等化目標値制御／等化誤差演算回路により演算された前記等化誤差が最小となるように前記波形等化回路内のタップ係数を制御して前記波形等化回路に適応等化を行わせるタップ係数制御部とを更に有することを特徴とする請求項１記載の情報再生装置。
【請求項４】
前記波形等化後再生信号のエンベロープの最大値及び最小値の絶対値の和の１／２倍の値だけ、前記オートスライサで補正された前記スライスレベルより大なる値を前記波形等化後再生信号エンベロープの最大値の識別点とし、前記絶対値の和の１／２倍の値だけ前記スライスレベルより小なる値を前記波形等化後再生信号エンベロープの最小値の識別点とする演算を行い、これら最大値及び最小値の識別点を、前記アシンメトリ補正された最短記録情報再生振幅の最大値及び最小値と、前記オートスライサで補正された前記スライスレベルの値と共に、それぞれビタビ復号の識別点の値として前記ビタビ復号手段へ供給する識別点演算回路を更に設けたことを特徴とする請求項１乃至３記載のうちいずれか一項記載の情報再生装置。
【請求項５】
記録媒体から再生された再生信号に対して、パーシャルレスポンス特性の波形等化を行って得られた波形等化後の再生信号から最短記録情報再生振幅の最大値及び最小値と、エンベロープの最大値及び最小値とを検出すると共に、前記波形等化後の再生信号をスライスレベルでスライスして前記波形等化後の再生信号を２値化する第１のステップと、
前記第１のステップで２値化された波形等化後の再生信号の”１”と”０”の平均的な出現率が等しくなるように、前記２値化された波形等化後の再生信号を予め設定した所定のリファレンスレベルと比較して得た比較結果に基づいて、前記第１のステップにおけるスライスレベルを補正する第２のステップと、
前記第２のステップで補正された前記スライスレベルを、前記第１のステップで得られた前記最短記録情報再生振幅の最大値及び最小値にアシンメトリ情報として付加して、アシンメトリ補正された最短記録情報再生振幅の最大値及び最小値を生成する第３のステップと、
前記第３のステップで得られた前記アシンメトリ補正された最短記録情報再生振幅の最大値及び最小値と、前記第１のステップで得られた波形等化後の再生信号のエンベロープの最大値及び最小値と、前記第２のステップで得られた前記スライスレベルの値をそれぞれビタビ復号の識別点の値として用いて、前記波形等化後の再生信号に対してビタビ復号を行い、復号信号を出力する第４のステップと
を含むことを特徴とする情報再生方法。
【請求項６】
前記第１のステップで得られた前記エンベロープの最大値及び最小値の絶対値の和の１／２倍の値だけ、前記第２のステップで得られた前記スライスレベルより大なる値を前記エンベロープの最大値の識別点とし、かつ、前記絶対値の和の１／２倍の値だけ前記スライスレベルより小なる値を前記エンベロープの最小値の識別点とする演算を行い、演算により得たこれら最大値及び最小値の識別点を、前記第３のステップで得られた前記アシンメトリ補正された最短記録情報再生振幅の最大値及び最小値と、前記第２のステップで得られた前記スライスレベルの値と共に、それぞれビタビ復号の識別点の値として前記第４のステップでビタビ復号させる第５のステップを更に含むことを特徴とする請求項５記載の情報再生方法。
【発明の詳細な説明】
【０００１】
【発明の属する技術分野】
本発明は情報再生装置及び再生方法に係り、特にパーシャルレスポンス特性を利用したビタビ復号（ＰＲＭＬ）を用いて、記録媒体の再生信号を復号する情報再生装置及び再生方法に関する。
【０００２】
【従来の技術】
近年の信号処理技術の急速な進歩発展と記録密度の向上の要請に伴い、記録媒体から再生される再生信号を復号する方式として、パーシャルレスポンス（ＰＲ）と、最尤復号（ＭＬ：maximum likelihood）とを組み合わせたＰＲＭＬ方式が多用されるようになった。上記の最尤復号は、ビタビ復号ともいわれる。
【０００３】
ビタビ復号方法の概要は、以下のようなものである。記録媒体に対する記録方法に応じて複数個の状態を予め特定し、記録媒体から再生される再生信号のパーシャルレスポンス応答に基づく計算処理によって、かかる複数個の状態間の最尤な遷移を選択する。このような選択は、ビタビ復号方法を行うビタビ復号器中の加算、比較、選択回路によってなされ、状態数に等しい個数の状態遷移を最尤推定する。最尤推定された状態遷移に対応して、復号データが生成される。
【０００４】
上記の再生信号のパーシャルレスポンス応答を得るためには、波形等化処理が行われる。波形等化処理は、記録線密度によって決まる空間周波数等を考慮して決められる、所定のパーシャルレスポンス特性の下でなされる。上述したように予め特定される複数個の状態の個数、及び計算処理において用いられる複数の各状態における振幅基準値の設定等により、ビタビ復号方法は、幾つかの種類に分けられる。そして、記録線密度等に従って決められるパーシャルレスポンス特性に対して、できるだけ良く適合する種類のビタビ復号方法を用いるようになされる。
【０００５】
また、ビタビ復号方法においては、入力される再生信号値に基づいて尤度を計算し、最も尤度が大きい状態遷移を選択することにより復号を行う方法である。尤度を計算するためには、波形等化処理に用いられるパーシャルレスポンス特性によって規定される振幅基準値がビタビ復号の識別点の値として用いられる。このため、ビタビ復号による復号データのエラーレートを低くするためには、識別点が正しく設定されることが必要となる。
【０００６】
従来、識別点の検出は、例えば装置の電源投入時等に再生系の動作パラメータ等を適正化するために行われるキャリブレーション等において、再生信号の最大振幅と一致する識別点は再生信号エンベロープの最大値及び最小値として検出される。しかし、再生信号全体の最大振幅とは一致しない識別点の値は、上述したような方法では検出できない。このため、このような識別点の値は、上述のエンベロープ値に基づく計算、すなわち、再生信号全体の最大振幅と一致する識別点の値と、再生信号全体の最大振幅とは一致しない識別点の値との比率を、エンベロープ値に乗じる計算によって求められている。
【０００７】
また、特開平１０−２８３７３９号公報には、最大振幅とは一致しない識別点の値を、バンドパスフィルタ（ＢＰＦ）により各識別点に相当するレベルの信号として周波数の違いにより抜き取り、その抜き取った信号のエンベロープを検出することにより、識別点を求める情報再生装置及び再生方法が開示されている。
【０００８】
【発明が解決しようとする課題】
しかるに、記録媒体が光ディスクの場合、基板の複屈折、厚みムラ、反射膜の反射率ムラ等による信号振幅の変動や、前後のピット間での符号間干渉などによって再生信号が劣化する。また、記録時のレーザパワーやディスク成形時の条件などに起因して形成されるピットが過大または過小なものとなることによって、再生信号の振幅が変動したり、アイ・パターンが上下の対称性を失うアシンメトリと呼ばれる現象により再生信号に歪みが生じたり、再生系内の電気的オフセットにより再生信号にオフセットが生じたりすることが、データの復号に誤りを生じる原因となる。
【０００９】
前述の再生信号の最大振幅とは一致しない識別点の値を求めるための上述した方法は、再生信号全体の最大振幅と一致する識別点の値と、それ以外の値との比率がパーシャルレスポンス特性に正確に従うという前提の下で正しい結果を得ることができる。従って、前記識別点の検出時に、前記のような原因により再生信号に歪み、オフセット等が生じた場合には、エンベロープ検出による方法で検出される識別点は誤差を含むものとなり、その結果復号エラーレートが高くなるおそれがある。
【００１０】
また、特開平１０−２８３７３９号公報記載の従来装置では、バンドパスフィルタによるＤＣ成分の損失が生じるため、アシンメトリに対する補正を行うための情報が得られないため、復号エラーレートが高くなるおそれがある。
【００１１】
本発明は、以上の点に鑑みなされたもので、ビタビ復号の識別点を実際の再生波形に即して簡便にかつ適正な値に設定することにより、再生信号に含まれるアシンメトリ等の影響による誤差を除去するための補正を行い、ビタビ復号の精度を向上し得る情報再生装置及び情報再生方法を提供することを目的とする。
【００１２】
【課題を解決するための手段】
上記の目的を達成するため、本発明の情報再生装置は、記録媒体から再生された再生信号に対して、パーシャルレスポンス特性の波形等化を行う波形等化回路と、波形等化回路から出力された波形等化後再生信号から最短記録情報再生振幅の最大値及び最小値を検出する最短記録情報振幅検出手段と、波形等化回路から出力された波形等化後再生信号のエンベロープの最大値及び最小値を検出するエンベロープ検出手段と、波形等化回路から出力された波形等化後再生信号をスライスレベルでスライスして２値化する２値化手段と、２値化手段にスライスレベルを供給しており、２値化手段から出力された２値化信号の”１”と”０”の平均的な出現率が等しくなるように、２値化信号を予め設定した所定のリファレンスレベルと比較して得た比較結果に基づいて、スライスレベルを補正するオートスライサと、オートスライサから補正されて出力されたスライスレベルを、最短記録情報振幅検出手段から出力された最短記録情報再生振幅の最大値及び最小値にアシンメトリ情報として付加して、アシンメトリ補正された最短記録情報再生振幅の最大値及び最小値を出力するアシンメトリ付加手段と、アシンメトリ付加手段によりアシンメトリ補正された最短記録情報再生振幅の最大値及び最小値と、波形等化後再生信号エンベロープの最大値及び最小値と、オートスライサで補正されたスライスレベルの値をそれぞれビタビ復号の識別点の値として用いて、波形等化回路から出力された再生信号に対してビタビ復号を行い、復号信号を出力するビタビ復号手段とを有する構成としたものである。
【００１３】
この発明では、アシンメトリ付加手段によりアシンメトリ補正された最短記録情報再生振幅の最大値及び最小値と、波形等化後再生信号エンベロープの最大値及び最小値と、オートスライサで補正されたスライスレベル（再生信号２値化の際の中心値）の値を、識別点としてビタビ復号器に与えるようにしているため、ビタビ復号の識別点を実際の再生波形に即したものとすることができる。
【００１４】
また、本発明は上記の目的を達成するため、エンベロープ検出手段からの波形等化後再生信号のエンベロープの最大値及び最小値からエンベロープの振幅そのものを検出する振幅検出手段と、振幅検出手段で検出された振幅値と振幅設定値を比較し、その比較結果に基づき前記波形等化回路の出力波形等化後再生信号の振幅を一定に保つゲイン調整手段とを更に有する構成としたものである。
【００１５】
この発明では、エンベロープ検出手段からの波形等化後再生信号からエンベロープの振幅そのものが振幅検出手段により検出された後、ゲイン調整手段に供給され、ここで振幅設定値と比較され、その比較結果に応じて波形等化回路の出力再生信号の振幅を一定に保つようにしたため、同時に最短記録振幅検出手段で検出される最短記録情報再生振幅の変動も抑圧され、結果としてエンベロープ検出手段及び最短記録情報振幅検出手段で検出される振幅の最大値及び最小値の変動や検出誤差を少なくすることができる。
【００１６】
また、本発明装置は、上記の目的を達成するため、ビタビ復号の識別値として用いられるアシンメトリ付加手段によりアシンメトリ補正された最短記録情報再生振幅の最大値及び最小値と、波形等化後再生信号エンベロープの最大値及び最小値と、オートスライサで補正されたスライスレベルの値とに基づいて、識別点の値と波形等化回路の波形等化の目標値との等化誤差を演算する等化目標値制御／等化誤差演算回路と、等化目標値制御／等化誤差演算回路により演算された等化誤差が最小となるように波形等化回路内のタップ係数を制御して波形等化回路に適応等化を行わせるタップ係数制御部とを更に有する構成としたものである。
【００１７】
この発明では、等化目標値を制御した適応等価を波形等化回路で行うようにしたため、再生信号からビタビ復号を行う際の識別レベルを互いに干渉の少ない距離に制御することができる。
【００１８】
また、上記の目的を達成するため、本発明装置は、波形等化後再生信号のエンベロープの最大値及び最小値の絶対値の和の１／２倍の値だけ、オートスライサで補正されたスライスレベルより大なる値を波形等化後再生信号エンベロープの最大値の識別点とし、絶対値の和の１／２倍の値だけスライスレベルより小なる値を波形等化後再生信号エンベロープの最小値の識別点とする演算を行い、これら最大値及び最小値の識別点を、アシンメトリ補正された最短記録情報再生振幅の最大値及び最小値と、オートスライサで補正されたスライスレベルの値と共に、それぞれビタビ復号の識別点の値としてビタビ復号手段へ供給する識別点演算回路を更に設けたことを特徴とする。
【００１９】
この発明では、ビタビ復号を行う際の識別点を、より一層実際に即したものとすることができる。
【００２０】
更に、上記の目的を達成するため、本発明の情報再生方法は、記録媒体から再生された再生信号に対して、パーシャルレスポンス特性の波形等化を行って得られた波形等化後の再生信号から最短記録情報再生振幅の最大値及び最小値と、エンベロープの最大値及び最小値とを検出すると共に、波形等化後の再生信号をスライスレベルでスライスして波形等化後の再生信号を２値化する第１のステップと、第１のステップで２値化された波形等化後の再生信号の”１”と”０”の平均的な出現率が等しくなるように、２値化された波形等化後の再生信号を予め設定した所定のリファレンスレベルと比較して得た比較結果に基づいて、第１のステップにおけるスライスレベルを補正する第２のステップと、第２のステップで補正されたスライスレベルを、第１のステップで得られた最短記録情報再生振幅の最大値及び最小値にアシンメトリ情報として付加して、アシンメトリ補正された最短記録情報再生振幅の最大値及び最小値を生成する第３のステップと、第３のステップで得られたアシンメトリ補正された最短記録情報再生振幅の最大値及び最小値と、第１のステップで得られた波形等化後の再生信号のエンベロープの最大値及び最小値と、第２のステップで得られたスライスレベルの値をそれぞれビタビ復号の識別点の値として用いて、波形等化後の再生信号に対してビタビ復号を行い、復号信号を出力する第４のステップとを含むことを特徴とする。
【００２１】
この発明では、アシンメトリ補正された最短記録情報再生振幅の最大値及び最小値、波形等化後の再生信号のエンベロープの最大値及び最小値、並びに２値化のためのスライスレベル（再生信号２値化の際の中心値）を、識別点として用いてビタビ復号するようにしているため、ビタビ復号の識別点を実際の再生波形に即したものとすることができる。
【００２２】
【発明の実施の形態】
次に、本発明の実施の形態について、図面と共に説明する。図１は本発明になる情報再生装置の第１の実施の形態のブロック図を示す。この実施の形態は、光ディスク再生装置の例であり、光ディスク媒体１にＰＲ方式を適用して記録されている情報信号は、半導体レーザダイオード（ＬＤ）、ピンフォトダイオード（ＰＤ）及び光学系等で構成される光ヘッド２により再生される。
【００２３】
この光ヘッド２の出力側には、光ヘッド２で検出された再生信号を増幅するアンプ（ＡＭＰ）３と、パーシャルレスポンス特性を有する波形等化回路（ＥＱ）４と、再生信号を０、１の二値の信号に整形する二値化回路５、二値化回路５の出力信号を基に二値化回路５のスライスレベルを制御するスライスレベル検出手段（オートスライサ）６と、入力信号に位相同期した信号を生成出力する位相同期ループ（ＰＬＬ）７と、波形等化回路（ＥＱ）４の出力信号を、ＰＬＬ７から出力されるクロックでサンプリングしディジタル変換するＡ／Ｄ変換器８と、ビタビ復号器９と、再生信号エンベロープ検出手段１０と、再生信号から最短記録情報を抜き出すバンドパスフィルタ（ＢＰＦ）１１と、ＢＰＦ１１で抜き出された最短記録情報のエンベロープより振幅を検出する最短記録情報振幅検出手段１２と、最短記録情報振幅検出手段１２の出力信号に対してアシンメトリの情報を付加するアシンメトリ付加手段１３と、再生信号エンベロープの最大値及び最小値、最短記録情報振幅の最大値及び最小値及びオートスライサ６の出力信号であるスライスレベルの値をそれぞれディジタル化し、ビタビ復号器９の識別点の値として情報を供給するためのＡ／Ｄ変換器１４と、識別点演算回路１５よりなる回路部が構成されている。ビタビ復号器９で復号された復号データは、図示しない復調・誤り訂正手段によって誤り検出・誤り訂正が行われユーザデータに復調される。
【００２４】
次に、本発明の第１の実施の形態の信号再生の動作について説明する。光ヘッド２は、光ディスク媒体１にレーザー光を照射し、それによって生じる光ディスク媒体１からの反射光を受光して、再生信号を生成する。光ヘッド２内のＰＤで光電変換されて得られた再生信号は、アンプ３によってゲイン調整がされ、波形等化回路４に供給される。また、図示しないフォーカスエラー検出回路、トラッキングエラー検出回路にも送られ、それぞれフォーカスエラー信号、トラッキングエラー信号が演算され、フォーカス、トラッキングサーボの制御に用いられる。
【００２５】
波形等化回路４では、適用されるビタビ復号に適したパーシャルレスポンス特性によって波形等化処理が行われる。波形等化回路４の出力信号は、Ａ／Ｄ変換器８において、ＰＬＬ７からのマスタークロックによりディジタルサンプリングされた後、ビタビ復号器９に供給される。ビタビ復号器９は、ビタビ復号方法によって復号データを生成する。かかる復号データは、記録された記録データに対する最尤復号系列である。従って、復号エラーが無い場合には、復号データは記録データと一致する。
【００２６】
また、波形等化回路４の出力信号は、２値化回路５によりオートスライサ６からのスライスレベルで２値化された後、ＰＬＬ７に供給され、ここでマスタークロックを生成させる。生成されたマスタークロックは、Ａ／Ｄ変換器８、ビタビ復号器９及びＡ／Ｄ変換器１４にそれぞれ供給され、各構成要素の動作タイミングの基準となる。
【００２７】
次に、ビタビ復号器９によって行われるビタビ復号方法について説明する。ユーザデータは、記録媒体の性質及び記録・再生方法等に応じて適切な符号化方法によって記録データとしての符号語に変換される。光ディスク装置においては、ブロック符号化において、ランレングス制限（ＲＬＬ：Run Length Limited) 符号化方法が用いられることが多い。一般に、'1' と'1' の間の'0' の数を最小でｄ個、最大でｋ個とするｍ／ｎブロック符号をＲＬＬ（ｄ，ｋ；ｍ，ｎ）符号と呼ぶ。
【００２８】
例えば、ＤＶＤ（digital versatile disk）で採用されている符号では、'1' と'1' の間の'0' の数を最小で２個、最大で１０個とする８／１６ブロック符号化方法（ＲＬＬ（２，１０；８，１６）符号）が採用されている。ＤＶＤの８／１６ブロック符号は、８ビットを変換テーブルをもとに１４ビットに変換し、各符号の結合ビットとして２ビットを用いて全体として８ビットを１６ビットに変換する符号化方法である。
【００２９】
このようなＲＬＬ符号化方法と、マークエッジ記録方法との組合わせによって記録されたデータから、再生される再生信号を復号してリードデータを得るために、ビタビ復号方法を用いることができる。マークエッジ記録方法とは、符号化された記録データの各ビットの境界における極性の反転を、各ピットのエッジによって表現する記録方法で、符号化された記録データに対して、後述のプリコードが行われプリコード出力に対してピットが形成されることになる。これに対して、例えば符号化された記録データの'1' に対してピットを形成し、'0' に対してピットを形成しない記録方法をマーク位置記録方法と呼ぶ。
【００３０】
ここでは、ＲＬＬ（２，１０）ブロック符号において、パーシャルレスポンス特性ＰＲ（１，１，１，１）におけるビタビ復号手順を示す。まず初めに、プリコードについて説明しておく。光ディスクに記録される信号に関して、マークエッジ記録方法においては、光ディスク媒体等に対する実際の記録に先立って、上述のＲＬＬ符号化等によって符号化された記録データに基づくプリコードが行われる。各時点ｔにおける記録データ列をｘ［ｔ］、これに基づくプリコード出力をｙ［ｔ］とすると、プリコードは、以下のように行われる。
【００３１】
ｙ［ｔ］＝ｍｏｄ２｛ｘ［ｔ］＋ｙ［ｔ−１］｝      （１）
このようなプリコード出力ｙ［ｔ］が実際に光ディスク媒体等に記録される。
【００３２】
ビタビ復号器９の前段に設けられている波形等化回路４は、波形等化特性ＰＲ（１，１，１，１）での波形等化処理を行う。波形等化処理がなされた再生信号を復号するビタビ復号方法の概略は、次のようなものである。ここから、ＰＲ特性に適合した理想の再生信号の値をｒ［ｔ］、ノイズを含む実際の再生信号（すなわち、記録媒体から再生された再生信号）をｎ［ｔ］と表記する。
【００３３】
まず、符号化方法及び記録媒体に対する記録方法に基づいて、生じ得るすべての状態を特定する。次に、ある時点における各状態を起点として、次の時点において生じ得るすべての状態遷移と、各状態遷移が生じる時の記録データｘ［ｔ］及び再生信号の値ｒ［ｔ］を特定する。
【００３４】
特定されたすべての状態及び状態遷移と、各状態遷移が生じる時の（記録データｘ［ｔ］／再生信号の値ｒ［ｔ］）を図の形式で表現したものを状態遷移図と呼ぶ。図４はＲＬＬ（２，１０）、ＰＲ（１，１，１，１）のビタビ復号方法における状態遷移図を示す。そして、この状態遷移図に基づく復号動作を行うように、ビタビ復号器９が構成される。
【００３５】
更に、ビタビ復号では、状態遷移図を前提として、記録媒体から各時点ｔにおいて再生される再生信号ｎ［ｔ］に基づく最尤な状態遷移が選択される。但し、上述したように、ｎ［ｔ］は、ビタビ復号器９に供給される前段において波形等化されたものである。このような最尤な状態遷移の選択がなされる毎に、選択された状態遷移に対応して、状態遷移図に記載された記録データｘ［ｔ］の値を復号値とすることによって、記録データに対する最尤復号値系列としての復号データｘ'［ｔ］を得ることができる。復号データ列ｘ' ［ｔ］は、復号エラーが無い場合には、記録データｘ［ｔ］と一致する。
【００３６】
次に、ビタビ復号方法の手順を詳細に説明する。信号の振幅を規格化せずに、波形等化特性をＰＲ（ａ，ｂ，ｂ，ａ）とする。ＰＲ（ａ，ｂ，ｂ，a）は、ある時点ｔにおける再生信号の値に対して、時点ｔにおける振幅の寄与がその時点での信号の振幅のａ倍、時点ｔ−１及びｔ−２における振幅の寄与が各々の時点での信号の振幅のｂ倍、時点ｔ−３における振幅の寄与がその時点での信号の振幅のａ倍とされるものである。従って、再生信号の値の最大値は、時点ｔ−３から時点ｔにおいていずれもパルスが検出される場合で以下のようになる。
【００３７】
ａ＋ｂ＋ｂ＋ａ＝２ａ＋２ｂ
【００３８】
また、再生信号の値の最小値は０となる。但し、実際の取り扱いにおいては、ｒ［ｔ］として、ＤＣ成分のａ＋ｂを差し引いた以下のようなものが用いられる。ここでｙ［ｔ］は前述したように時点ｔにおけるプリコード出力を表す。
【００３９】
ｒ[t]＝ａ×ｙ[t-3]＋ｂ×ｙ[t-2]＋ｂ×ｙ[t-1]＋ａ×ｙ[t]−ａ−ｂ    （２）
従って、ノイズを考慮しない場合の再生信号ｒ［ｔ］は、ａ＋ｂ、ｂ、０、−ｂ、−ａ−ｂのうちのいずれかの値をとることになる。
【００４０】
本実施の形態の光ディスク再生装置において、ＰＲ（ａ，ｂ，ｂ，ａ）のもとで波形等化処理されたｎ［ｔ］についてのアイパターンの一例を図２に示す。図２から各時点における再生信号ｎ［ｔ］の値は、ノイズによるばらつきを有するが、ほぼ、ａ＋ｂ、ｂ、０、−ｂ、−ａ−ｂのいずれかになることが確認できる。後述するようにａ＋ｂ、ｂ、０、−ｂ、−ａ−ｂの値は、識別点として用いられる。
【００４１】
まず、ここで用いられる状態として、ある時点ｔにおける状態を、時点ｔ及びそれ以前のプリコード出力を用いて次のように定義する。すなわち、ｈ＝ａ［ｔ］、ｉ＝ｂ［ｔ−１］、ｊ＝ｂ［ｔ−２］、ｋ＝ａ［ｔ−３］の時の状態をＳhijk と定義する。
【００４２】
このような定義によって、１６（＝２4）個の状態があると考えられるが、実際に生じ得る状態は、符号化方法等に基づいて制限される。ＲＬＬ（２，１０）符号として符号化された記録データ列ｘ［ｔ］においては、'1' と'1' の間に最低２個の'0' が含まれるので、２個以上の'1' が連続することが無い。記録データ列ｘ［ｔ］に課されるこのような条件に基づいてプリコード出力ｙ［ｔ］について一定の条件が課され、その結果として生じ得る状態に制限が加えられる。
【００４３】
上述したようにＲＬＬ（２，１０）符号化によって生成される記録データ列中に、２個以上の'1' が連続するものまたは'1' の間に'0'が一つしか挟まらない、以下のものはあり得ない。
【００４４】
x[t]＝１，x[t-1]＝１，x[t-2]＝１，x[t-3]＝１
x[t]＝１，x[t-1]＝１，x[t-2]＝１，x[t-3]＝０
x[t]＝１，x[t-1]＝１，x[t-2]＝０，x[t-3]＝１
x[t]＝１，x[t-1]＝１，x[t-2]＝０，x[t-3]＝０
x[t]＝１，x[t-1]＝０，x[t-2]＝１，x[t-3]＝１
x[t]＝１，x[t-1]＝０，x[t-2]＝１，x[t-3]＝０
x[t]＝０，x[t-1]＝１，x[t-2]＝１，x[t-3]＝１
x[t]＝０，x[t-1]＝１，x[t-2]＝１，x[t-3]＝０
x[t]＝０，x[t-1]＝１，x[t-2]＝０，x[t-3]＝１
x[t]＝０，x[t-1]＝０，x[t-2]＝１，x[t-3]＝１
【００４５】
記録データ列に課されるこのような条件に基づいて、（１）式に従ってプリコード出力ｙ［ｔ］について課される条件について検討すると、状態Ｓ００１０、Ｓ０１００、Ｓ０１０１、Ｓ０１１０、Ｓ１００１、Ｓ１０１０、Ｓ１０１１、及びＳ１１０１の８個の状態は生じ得ないことがわかる。従って生じ得る状態は、８個（＝２4−８）である。
【００４６】
ある時点ｓにおける状態を起点として、次の時点ｓ＋１において生じ得る状態を求めるためには、時点ｓ＋１における記録データの値ｘ［ｓ＋１］が１となる場合、及び０となる場合に分けて調べる必要がある。
【００４７】
ここでは、状態Ｓ００００を例として説明する。前記（１）式に従って、Ｓ００００すなわちｈ＝ｙ［ｓ］＝０、ｉ＝ｙ［ｓ−１］＝０、ｊ＝ｙ［ｓ−２］＝０、ｋ＝ｙ［ｓ−３］＝０とプリコードされる記録データとしては、以下の２個が考えられる。
【００４８】
x[s]＝０，x[s-1]＝０，x[s-2]＝０，x[s-3]＝１
x[s]＝０，x[s-1]＝０，x[s-2]＝０，x[s-3]＝０
【００４９】
［ｘ［ｓ＋１］＝１の時］
この時、（１）式に従って、ｙ［ｓ＋１］は、以下のように計算される。
ｙ［s+1］＝ｍｏｄ２｛ｘ［s+1］＋ｙ［s］｝＝ｍｏｄ２｛１＋０｝
＝１
【００５０】
従って、再生信号ｒ［ｓ＋１］の値は、（２）式に従って、次のように計算される。
【００５１】
0003956570.tif 000002
【００５２】
また、次の時点ｓ＋１での状態Ｓhijkでは、ｈ＝ｙ［ｓ＋１］，ｉ＝ｙ［ｓ］，ｊ＝ｙ［ｓ−１］，ｋ＝ｙ［ｓ−２］である。そして、上述したようにｙ［ｓ＋１］＝１，ｙ［ｓ］＝０，ｙ「ｓ−１」＝０，ｙ［ｓ−２］＝０となるので、次の時点ｓ＋１における状態は、Ｓ１０００である。従って、ｙ［ｓ＋１］＝１の場合には、Ｓ００００→Ｓ１０００という遷移が生じることが特定できる。
【００５３】
［ｘ［ｓ＋１］＝０の時］
この時、（１）式に従って、ｙ［ｓ＋１］は、以下のように計算される。
0003956570.tif 000003
【００５４】
従って、再生信号ｒ［ｓ＋１］の値は、（２）式に従って、次のように計算される。
【００５５】
0003956570.tif 000004
【００５６】
また、次の時点ｓ＋１における状態Ｓhijkは、ｈ＝ｙ［ｓ＋１］，ｉ＝ｙ［ｓ］，ｊ＝ｙ［ｓ−１］，ｋ＝ｙ［ｓ−２］である。そして、上述したようにｙ［ｓ＋１］＝０，ｙ［ｓ］＝０，ｙ「ｓ−１」＝０，ｙ［ｓ−２］＝０となるので、次の時点における状態は、Ｓ００００である。従って、ｘ［ｓ＋１］＝０の場合には、Ｓ００００→Ｓ００００という遷移が生じることが特定できる。
【００５７】
このようにして、時点ｓにおける状態Ｓ００００以外の各状態についても、それらを起点として次の時点ｓ＋１において生じ得る状態遷移と、そのような各状態遷移が生じる時の記録データ値ｘ［ｓ＋１］及び再生信号値ｒ［ｓ＋１］との対応を求めることができる。
【００５８】
上述したようにして、各状態について、それらを起点として生じ得る状態遷移と、各状態遷移が生じる時の記録データの値及び再生信号の値との対応を求め、図の形式に表したものが図３である。
【００５９】
上記の時点ｓ及びｓ＋１は、特別の時点ではない。従って、前記したようにして求まる、生じ得る状態遷移とそれらに伴う記録データの値及び再生信号の値との対応は、任意の時点において適用することができる。このため、図３においては、任意の時点ｔにおいて生じる状態遷移に伴う記録データの値をｘ［ｔ］と表記し、再生信号の値をｒ［ｔ］と表記する。
【００６０】
図３において、状態遷移は、矢印によって表される。また、各矢印に付した符号が（記録データ値ｘ［ｔ］／再生信号値ｒ［ｔ］）を示している。状態Ｓ００００及びＳ１１１１を起点とする状態遷移は、２通りあるのに対して、状態Ｓ００１１、Ｓ０１１１、Ｓ１０００及びＳ１１００を起点として生じ得る遷移は１通りのみである。
【００６１】
さらに、図３において状態Ｓ００００とＳ０００１は、何れもｘ［ｔ＋１］＝０に対しては、ｒ［ｔ＋１］＝−ａ−ｂという値をとり、状態Ｓ００００に遷移している。一方、ｘ［ｔ＋１］＝１に対して、状態Ｓ０００１からの遷移は生じ得ない。
【００６２】
また、状態Ｓ１１１１とＳ１１１０も同様に、同じｘ［ｔ＋１］＝０に対して同じｒ［ｔ］の値をとり、かつ、同じ状態に遷移している。従って、状態Ｓ００００とＳ０００１をまとめてＳ０と表現し、状態Ｓ１１１１とＳ１１１０をまとめてＳ３と表現することができる。さらに、状態Ｓ００１１をＳ４、状態Ｓ０１１１をＳ５とし、状態Ｓ１０００をＳ１、状態Ｓ１１００をＳ２と表現することにして、整理した状態遷移図が図４である。
【００６３】
このように、図４が５値６状態ビタビ復号方法に用いられる状態遷移図である。図４中には、Ｓ０〜Ｓ５の６個の状態、及び再生信号ｒ［ｔ＋１］の値としての−ａ−ｂ，−ｂ，０，ｂ，ａ＋ｂの５個の値が示されている。状態Ｓ０及びＳ３を起点とする状態遷移は、２通りあるのに対して、状態Ｓ１、Ｓ２、Ｓ４及びＳ５を起点とする状態遷移は、１通りのみである。
【００６４】
次に、図４に示した状態遷移図を前提として、ノイズを含む実際の再生信号ｎ［ｔ］から最尤な状態遷移を選択する方法について説明する。最尤な状態遷移を選択するためには、まず、ある時点ｔにおける状態について、その状態に至る過程において経由してきた複数時点間の状態遷移の尤度の和を計算し、さらに、計算された尤度の和を比較して、最尤の復号系列を選択することが必要である。このような尤度の和をパスメトリックと呼ぶ。
【００６５】
パスメトリックを計算するためには、まず、隣接する時点間の状態遷移の尤度を計算することが必要となる。このような尤度の計算は、上述の状態遷移図を参照して、再生信号ｎ［ｔ］の値に基づいて以下のようになされる。まず、一般的な説明として、時点ｔ−１において、状態Ｓａである場合について考える。この時、ビタビ復号器９に再生信号ｎ［ｔ］が入力された場合に、状態Ｓｂへの状態遷移が生じる尤度が次式に従って計算される。但し、状態Ｓａ及び状態Ｓｂは、図４の状態遷移図に記載されている６個の状態の何れかとする。
【００６６】
（ｎ［ｔ］−ｒ（Ｓａ，Ｓｂ））2          （３）
【００６７】
（３）式において、ｒ（Ｓａ，Ｓｂ）は、状態Ｓａから状態Ｓｂへの状態遷移について、図４の状態遷移図に記載されている再生信号の値である。すなわち、図４において、例えば状態遷移Ｓ０→Ｓ１について、−ｂと算出されている値である。従って、（３）式は、ノイズを含む実際の再生信号ｎ［ｔ］の値と、ノイズを考慮せずに計算された再生信号ｒ（Ｓａ，Ｓｂ）の値の間のユークリッド距離を表す。ある時点におけるパスメトリックは、その時点に至るまでのこのような隣接時点間の状態遷移の尤度の総和として定義される。
【００６８】
ところで、時点ｔにおいて状態Ｓａである場合を考える。この場合に、時点ｔ−１において状態Ｓａに遷移し得る状態をＳｐとすれば、パスメトリックＬ（Ｓａ，ｔ）は、時点ｔ−１におけるパスメトリックを用いて次式のように計算される。
【００６９】
Ｌ(Ｓａ,t)＝Ｌ(Ｓｐ,t-1)＋(ｎ[t]−ｒ(Ｓｐ，Ｓａ))2    （４）
【００７０】
すなわち、時点ｔ−１において状態Ｓｐに至った場合のパスメトリックＬ（Ｓｐ，ｔ−１）と、時点ｔ−１と時点ｔの間で生じるＳｐ→Ｓａなる状態遷移の尤度（ｎ［ｔ］−ｒ（Ｓｐ，Ｓａ））2とを加算することによって、パスメトリックＬ（Ｓａ，ｔ）が計算される。この（ｎ［ｔ］−ｒ（Ｓｐ，Ｓａ））2 のような、最新の状態遷移の尤度は、ブランチメトリックと呼ばれる。
【００７１】
また、時点ｔにおいて状態Ｓａである場合に、時点ｔ−１において状態Ｓａに遷移し得る状態が複数個存在することがある。図４においては、状態Ｓ０及びＳ３がこのような場合である。すなわち時点ｔにおいて状態Ｓ０である場合に、時点ｔ−１において状態Ｓ０に遷移し得る状態は、Ｓ０とＳ４の２個である。また、時点ｔにおいて状態Ｓ３である場合に、時点ｔ−１において状態Ｓ３に遷移し得る状態は、Ｓ２とＳ３の２個である。
【００７２】
一般的な説明として、時点ｔにおいて状態Ｓａであり、かつ、時点ｔ−１において状態Ｓａに遷移し得る状態がＳｐ及びＳｑの２個である場合に、パスメトリックＬ（Ｓａ，ｔ）は、次式のように計算される。
【００７３】
Ｌ（Ｓａ，ｔ）
0003956570.tif 000005
【００７４】
すなわち、時点ｔ−１において状態Ｓｐであり、Ｓｐ→Ｓａなる状態遷移によって状態Ｓａに至った場合と、時点ｔ−１において状態Ｓｑであり、Ｓｑ→Ｓａなる状態遷移によって状態Ｓａに至った場合の各々について、尤度の和を計算する。そして、各々の計算値を比較し、より小さい値を時点ｔにおける状態Ｓａに関するパスメトリックＬ（Ｓａ，ｔ）とする。
【００７５】
このようなパスメトリックの計算を、図４を用いて上述した５値６状態について具体的に適用すると、時点ｔにおける各状態Ｓ０〜Ｓ５についてのパスメトリックＬ（０，ｔ），Ｌ（１，ｔ），Ｌ（２，ｔ），Ｌ（３，ｔ），Ｌ（４，ｔ）及びＬ（５，ｔ）は、時点ｔ−１における各状態Ｓ０〜Ｓ５についてのパスメトリックＬ（０，ｔ−１）〜Ｌ（５，ｔ−１）を用いて以下のように計算できる。
0003956570.tif 000006
【００７６】
上述したように、このようにして計算されるパスメトリックの値を比較して、最尤な状態遷移が選択されれば良い。
【００７７】
ここで、本発明の第１の実施の形態における識別点の補正方法について詳しく説明する。前記したように、ＲＬＬ（２，１０）、ＰＲ（１，１，１，１）の場合、−ａ−ｂ、−ｂ、０、ｂ、ａ＋ｂの５値が識別点となる。しかし、実際の再生信号では、アシンメトリ等種々の要因で識別点が変動する。
【００７８】
そこで、本実施の形態では、まず図１の再生信号エンベロープ検出手段１０によって再生信号の最大振幅の最大点及び最小点が求められる。これは、図２のアイパターンにおける−ａ−ｂ、ａ＋ｂに相当する再生信号における識別点を求めることになる。次に、ＢＰＦ１１によって波形等化回路４の出力再生信号より最短記録情報を抜き出し、最短記録情報振幅検出手段１２によって最短記録情報の振幅最大点及び振幅最小点を求める。しかしながら、前記したようにＢＰＦ１１により最短記録情報を再生信号から抜き出したために、アシンメトリ等のＤＣ成分の再生信号の歪みの情報を得ることはできない。
【００７９】
また、波形等化回路４の出力再生信号は２値化回路５によって、０または１の２値の信号に成形された後、ＰＬＬ７に入力され、ＰＬＬ７によって装置全体の基準タイミングとなるクロックが生成される。２値化回路５では波形等化回路４から出力された再生信号に対して、あるスライスレベルを閾値として０、１の２値に判別が行われる。このスライスレベルは図２に示したようなアシンメトリのないアイパターンを持つ再生信号に対しては、再生信号振幅の中心に一致する。
【００８０】
ところが、光ディスク媒体１においては図５のように再生信号がアシンメトリを持っていると、スライスレベルは再生信号の中心よりずれる。このズレの補正を行うのがオートスライサ（スライスレベル検出手段）６で、２値化回路５の出力２値信号に基づき補正したスライスレベルを２値化回路５に供給する。すなわち、２値化回路５にスライスレベルを供給しているオートスライサ６は、２値化回路５から出力された２値化信号の”１”と”０”の平均的な出現率が等しくなるように、２値化信号を予め設定した所定のリファレンスレベルと比較して得た比較結果に基づいて、２値化回路５に供給しているスライスレベルを補正する。
【００８１】
また、本実施の形態では、この補正されたスライスレベルを、アシンメトリ付加手段１３にも供給することにより、最短記録情報振幅検出手段１２によって求められた最短記録情報の振幅最大点及び振幅最小点に、アシンメトリ情報をアシンメトリ付加手段１３において付加させる。ここで、アシンメトリ付加手段１３の出力信号（最大値、最小値）は、アイパターンにおけるｂ、−ｂに相当する再生信号における識別点である。また、オートスライサ（スライスレベル検出手段）６から出力される、補正されたスライスレベルは、アイパターンにおける０に相当する再生信号における識別点となる。
【００８２】
このように、再生信号エンベロープの最大点、最小点、スライスレベル、アシンメトリ補正された最短記録情報振幅最大点、最小点の情報は、Ａ／Ｄ変換器１４に供給されて、それぞれディジタル情報に変換された後、識別点演算回路１５に供給される。識別点演算回路１５は、入力ディジタル情報のうち、再生信号エンベロープの最大値をＴＵ、最小値をＴＬ、スライスレベルをＳＬとしたとき、スライスレベルＳＬを０とした場合、
ＴＵ’＝−ＴＬ’＝（｜ＴＵ｜＋｜ＴＬ｜）／２
なる式に基づき、補正されたエンベロープ最大値ＴＵ’と最小値ＴＬ’を識別点として演算する。
【００８３】
識別点演算回路１５により、再生信号エンベロープの最大値と最小値の絶対値の和の１／２倍の値（平均値）だけスライスレベルに対して対称となるように補正された、エンベロープ最大値ＴＵ’及び最小値ＴＬ’と、スライスレベル、アシンメトリ補正された最短記録情報振幅最大点、最小点の情報が識別点としてビタビ復号器９に入力される。これにより、ビタビ復号器９において実際の再生信号に対して補正された識別点によりビタビ復号がなされる。
【００８４】
このように、本実施の形態によれば、最短記録情報振幅検出手段１２によって求められた最短記録情報の振幅最大値及び振幅最小値、再生信号エンベロープ検出手段１０で検出されたエンベロープの最大値及び最小値の各補正値、並びに再生信号２値化の際の中心値（補正されたスライスレベル）を、識別点としてビタビ復号器９に与えるようにしているため、ビタビ復号の識別点を実際の再生波形に即したものとすることができ、より確実な復号が可能である。
【００８５】
次に、本発明の第２の実施の形態について説明する。図６は本発明になる情報再生装置の第２の実施の形態のブロック図を示す。同図中、図１と同一構成部分には同一符号を付し、その説明を省略する。図６に示すように、第２実施の形態では、再生信号エンベロープ検出手段１０から出力された検出値からエンベロープの振幅そのものを検出する振幅検出手段１６と、検出された振幅値と図示しない目標振幅設定手段を持つコントローラで設定された振幅設定値を比較して再生信号の振幅を一定に保つゲイン調整手段１７が追加されている点に特徴がある。
【００８６】
本実施の形態においては、振幅検出手段１６により再生信号エンベロープ検出手段１０で求められた波形等化後の再生信号の最大値及び最小値から波形等化後の再生信号のエンベロープの振幅そのものが検出された後、ゲイン調整手段１７に供給され、ここで振幅設定値と比較され、その比較結果に応じてＡＭＰ３のゲインを調整することにより、再生信号エンベロープ振幅が略一定に保たれ、同時にＢＰＦ１１を通して、最短記録振幅検出手段１２で検出される最短記録情報再生振幅の変動も抑圧される。
【００８７】
これにより、この実施の形態によれば、結果として再生信号エンベロープ検出手段１０及び最短記録情報振幅検出手段１２で検出される振幅の最大値及び最小値の変動や検出誤差は少なくなり、ビタビ復号器９におけるビタビ復号の識別点として、より確実で扱いやすい値が得られる。
【００８８】
次に、本発明の第３の実施の形態について説明する。図７は本発明になる情報再生装置の第３の実施の形態のブロック図を示す。同図中、図１と同一構成部分には同一符号を付し、その説明を省略する。図７に示す第３実施の形態は、第１実施の形態と同様に、再生信号のエンベロープ最大値及び最小値、最短記録情報再生振幅の最大値及び最小値、並びに再生信号２値化の際の中心値を検出し、ビタビ復号器９に復号の際の識別点として供給するが、同時に、等化目標値制御／等化誤差演算回路１８で上記検出された識別点の値と波形等化の目標値との差を検出し、タップ係数制御部１９によって波形等化回路４のタップ係数制御に用いて適応等化を行う点に特徴がある。
【００８９】
図８は波形等化回路４の一例のブロック図をタップ係数制御部１９と共に示す。波形等化回路４は、図８に示すように、波形等化入力端とＣ-1 、Ｃ0 、Ｃ1なるタップ係数の制御信号入力端とを有し、このうち、波形等化入力端には二つの遅延要素Ｄ１及びＤ２が直列に接続され、これら遅延要素Ｄ１及びＤ２の合計３個の入、出力端にそれぞれタップ係数Ｃ-1 、Ｃ0 、Ｃ1を乗算する乗算器Ｍ１，Ｍ２，Ｍ３と、これらの乗算器Ｍ１，Ｍ２，Ｍ３を介して得られた値を加算する加算器ＳＵとを含み、この加算器ＳＵの出力加算信号を波形等化出力とする構成になっている。
【００９０】
ところで、図７に示す本発明の第３の実施の形態は、図１に示した第１の実施の形態に対して、等化目標値制御／等化誤差演算回路１８と、タップ係数制御部１９とが、新たに付加されている。このうち、等化目標値制御／等化誤差演算回路１８は、Ａ／Ｄ変換器１４の出力信号に基づいて、サンプル値が取り得るレベルに対する５個の予測値を生成すると同時に、波形等化回路４の等化誤差の演算を実行できる構成とされている。
【００９１】
また、タップ係数制御部１９は等化目標値制御／等化誤差演算回路１８で演算された等化誤差が最小となるように、波形等化回路４内の乗算器Ｍ１，Ｍ２，Ｍ３で各タップに乗ぜられるタップ係数Ｃ-1 、Ｃ0 、Ｃ1を調整するものである。なお、図８では３つのタップを持つ波形等化回路４を示しているが、３つのタップ以上でも本実施の形態は有効である。また、信号の復号に必要な帯域以上の周波数は図示せぬ低域フィルタ（ＬＰＦ）で減衰がなされているものとする。
【００９２】
このように、この実施の形態によれば、等化目標値を制御した適応等価を行うようにしたため、再生信号からビタビ復号を行う際の識別レベルを互いに干渉の少ない距離に制御することができ、より確実なデータの復号が可能になる。
【００９３】
次に、本発明の第４の実施の形態について説明する。図９は本発明になる情報再生装置の第４の実施の形態のブロック図を示す。同図中、図１と同一構成部分には同一符号を付し、その説明を省略する。図９に示す第４実施の形態においては、設定されたしきい値から再生信号の振幅及びＤＣレベルを制御する振幅及びＤＣ制御手段２０を波形等化回路４の出力側に設け、設定されたしきい値そのものを、再生信号エンベロープの最大値及び最小値と共にビタビ復号器９の目標値として用いる点に特徴がある。
【００９４】
図１０は本発明の第４の実施の形態で用いる振幅及びＤＣレベル制御手段２０の一例のブロック図を示す。同図に示すように、波形等化回路４から出力された再生信号は、可変利得加算器２１を介して３つのクロス回数カウンタ２２、２３及び２３にそれぞれ供給され、ここで予め設定されている互いの異なる３つのしきい値と別々に比較される。この３つのしきい値は、例えば再生信号の最小反転間隔における振幅の上部ピーク値と下部ピーク値とそれらの中央になるべきレベルに相当する値である。
【００９５】
クロス回数カウンタ２２、２３及び２４は、予め設定されている上記のしきい値と再生信号とを比較し、再生信号がしきい値を横切った回数を互いに独立に積算し、それら３つの積算値のどれかが予め設定した値に到達した時に、３つの積算値をすべてクリアして再び同じ動作を行う構成とされている。クロス回数比較回路２５は上記の３つの積算値を受け、それらを比較してＤＣエラー信号と利得エラー信号を発生してＤＣ制御回路２６及びゲイン制御回路２７へ出力する。
【００９６】
すなわち、クロス回数比較回路２５は、入力される上記の３つの積算値のうち、中央のしきい値を、所定の単位時間内で再生信号が横切る回数を最も多いはずであるので、再生信号が中央のしきい値を横切る回数の第１の積算値が最も早く上記の設定値に到達するはずであることに着目し、この第１の積算値を残る２つの第２及び第３の積算値とそれぞれ比較し、それらの比較結果に応じて、更に第２及び第３の積算値を比較してＤＣエラー信号と利得エラー信号を発生する。上記の比較結果に基づくＤＣエラー信号と利得エラー信号を発生するアルゴリズムの詳細は、本出願人が先に特願平１０−３０９６０３号（発明の名称「ディジタル信号再生装置」、発明者：戸波淳一郎）で提案している。
【００９７】
振幅及びＤＣレベル制御手段２０において、第２のしきい値を再生波形のゼロクロスレベルとし、第１のしきい値をプラス側、第３のしきい値をマイナス側にそれぞれ同じ大きさだけずらした値とすれば、入力再生信号波形の振幅とＤＣレベルによって、それぞれのしきい値を再生信号波形が横切る回数が変化する。この様子を図１１に示す。
【００９８】
ＤＣ制御回路２６は、クロス回数比較回路２５から出力されたＤＣエラー信号に基づき、図１１に示すように、可変利得加算器２１からの再生信号波形が第２のしきい値を横切る回数が第１及び第３のしきい値を横切る回数より多く、かつ、入力再生信号波形が第１のしきい値を横切る回数と、第３のしきい値を横切る回数がほぼ等しくなるように、ＤＣ信号を発生して可変利得加算器２１に供給して入力再生信号と加算することで可変利得加算器２１の出力信号のＤＣレベルを制御する。これにより、第２のしきい値が自動的にスライスレベルに等しくなる。
【００９９】
また、上記のＤＣレベル制御がなされている状態において、ゲイン制御回路２７は、クロス回数比較回路２５から出力された利得エラー信号に基づき、図１１に示すように、可変利得加算器２１からの再生信号波形が第２のしきい値を横切る回数と、第１及び第３のしきい値を横切る回数とを比較して、両者がほぼ等しいか、第２のしきい値を横切る回数が若干多くなるようなゲイン制御信号を発生して可変利得加算器２１のゲインを制御する。これにより、自動的に最短記録情報再生波形の振幅が第１のしきい値と第３のしきい値に等しくなるように制御される。
【０１００】
このように、本実施の形態によれば、振幅及びＤＣレベル制御手段２０によって設定された第１及び第３のしきい値は、そのまま最短記録情報再生振幅の最大値及び最小値検出結果として、また第２のしきい値はスライスレベル検出結果として用いることができるので、図９に示すように、前記第１乃至第３の実施の形態で必要であったエンベロープ以外の特定周波数の再生信号振幅を検出する必要がなく、ＢＰＦ１１、最短記録振幅検出手段１２、アシンメトリ付加手段１３が不要であり、また、オートサライサ６も不要であり、よって回路構成を簡単にできる。
【０１０１】
また、この実施の形態では、これら３つのしきい値と図９に示した再生信号エンベロープ検出手段１０で検出される再生信号のエンベロープの最大値、最小値を、目標値としてビタビ復号器９に与えることで、ビタビ復号の基準値を実際の再生波形に即したものとすることができ、より確実な復号が可能である。
なお、図９における各ブロックはアナログ的に各機能を実現してもよいが、ＬＳＩ化を考慮するとディジタル動作の方が有利であることはいうまでもない。なお、上記の第１乃至第３の実施の形態では識別点演算回路１５を設けているが、識別点演算回路１５を設けなくてもある程度の効果は得られる。
【０１０２】
【発明の効果】
以上説明したように、本発明によれば、アシンメトリ補正された最短記録情報再生振幅の最大値及び最小値と、波形等化後再生信号エンベロープの最大値及び最小値と、オートスライサで補正されたスライスレベル（再生信号２値化の際の中心値）の値を、識別点としてビタビ復号器に与えることにより、ビタビ復号の識別点を実際の再生波形に即したものとするようにしたため、ビタビ復号器において、より確実な復号が可能である。
【０１０３】
また、本発明によれば、波形等化後再生信号のエンベロープの振幅そのものが振幅検出手段により検出された後、ゲイン調整手段に供給され、ここで振幅設定値と比較され、その比較結果に応じて、波形等化回路の出力再生信号の振幅を一定に保つことにより、同時に最短記録振幅検出手段で検出される最短記録情報再生振幅の変動も抑圧し、結果としてエンベロープ検出手段及び最短記録情報振幅検出手段で検出される振幅の最大値及び最小値の変動や検出誤差を少なくするようにしため、ビタビ復号器におけるビタビ復号の識別点として、より確実で扱いやすい値を得ることができる。
【０１０４】
更に、本発明によれば、再生信号に含まれるアシンメトリ等の影響による誤差を除去するための補正を行い、適切な再生データのビタビ復号を行うことができるため、光ディスク媒体の状態や、再生条件により再生信号の歪み、アシンメトリが生じた場合でも、適切な識別点によるビタビ復号を行うことにより、よりエラーレートの低い信頼性の高いユーザデータを得ることができる。
【０１０５】
また、本発明によれば、等化目標値を制御した適応等価を行うことにより、再生信号からビタビ復号を行う際の識別レベルを互いに干渉の少ない距離に制御するようにしたため、より確実なデータの復号ができる。
【図面の簡単な説明】
【図１】本発明の情報再生装置の第１の実施の形態のブロック図である。
【図２】ＲＬＬ（２，１０）、ＰＲ（１，１，１，１）における信号のアイパターンを示す図である。
【図３】５値６状態ビタビ復号方法の状態遷移図を作成する過程の説明図である。
【図４】５値６状態ビタビ復号方法の状態遷移図である。
【図５】アシンメトリのある再生信号のアイパターンを示す図である。
【図６】本発明の情報再生装置の第２の実施の形態のブロック図である。
【図７】本発明の情報再生装置の第３の実施の形態を示す構成図である。
【図８】本発明の第３の実施の形態における波形等化回路の一例のブロック図である。
【図９】本発明の情報再生装置の第４の実施の形態を示す構成図である。
【図１０】図９中のＤＣ・振幅制御手段の一例のブロック図である。
【図１１】本発明の第４の実施の形態における振幅及びＤＣレベル制御の動作を説明するための図である。
【符号の説明】
１  光ディスク媒体
２  光ヘッド
３  アンプ（ＡＭＰ）
４  波形等化回路（ＥＱ）
５  ２値化回路
６  スライスレベル検出手段（オートスライサ）
７  ＰＬＬ
８  Ａ／Ｄ変換器（再生信号用）
９  ビタビ復号器
１０  再生信号エンベロープ検出手段
１１  バンドパスフィルタ（ＢＰＦ）
１２  最短記録情報振幅検出手段
１３  アシンメトリ付加手段
１４  Ａ／Ｄ変換器（識別点情報用）
１５  識別点演算回路
１６  振幅検出手段
１７  ゲイン調整手段
１８  等化目標値制御／等化誤差演算回路
１９  タップ係数制御部
２０  振幅・ＤＣ制御手段
【図１】
0003956570.tif 000007
【図２】
0003956570.tif 000008
【図３】
0003956570.tif 000009
【図４】
0003956570.tif 000010
【図５】
0003956570.tif 000011
【図６】
0003956570.tif 000012
【図７】
0003956570.tif 000013
【図８】
0003956570.tif 000014
【図９】
0003956570.tif 000015
【図１０】
0003956570.tif 000016
【図１１】
0003956570.tif 000017